(57)【特許請求の範囲】
【請求項１】
制御基板を収納する透明樹脂製のケースと、ケースに装着する透明樹脂製のカバーと、ケースとカバーとをロックするロック装置とを備えた制御基板収納ボックスであって、ロック装置は、ケースに固定する金属板製の一方のロック部材と、カバーに固定する金属板製の他方のロック部材とを備え、一方のロック部材と他方のロック部材とを対向配置してあり、ケースに対してカバーを一方向にスライドすることにより一方のロック部材と他方のロック部材とが係合してロックするものであり、
一方のロック部材は互いに対向する係合壁部と、対向する係合壁部を連結する連結壁部とを有し、各係合壁部は互いに対向する側に突出する第１切起し部を有し、
他方のロック部材は、互いに対向する被係合壁部と、対向する被係合壁部を連結する連結壁部とを有し、各被係合壁部は基部と、基部からカバーのスライド方向に平行に突出した先端部を有する突出部を有し、突出部の先端部は弾性変形可能であり且つ先端部ほど幅を狭くする楔状に形成してあり、ケースに対してカバーをスライドすることにより、突出部の先端部が対応する第１切起し部に当接することで突出部が弾性変形して第１切起し部を通過し、突出部の先端部が第１切起し部間を越えた後、弾性復帰して先端部が第１切起し部に係止してスライド方向と反対方向への引抜きが阻止されていることを特徴とする制御基板収納ボックス。
【請求項２】
前記各係合壁部は、対向する係合壁部側へ突出すると共に弾性変形可能な補助部を有し、補助部は一方のロック部材と他方ロック部材とが係合しているときに突出部を第１切起し部と共に挟んで位置するものであり、突出部が弾性変形して第１切起し部を通過するときに突出部の先端部に押圧されて弾性変形し、先端部が第１切起し部を通過した後に突出部が弾性復帰して第１切起し部側に移動したときに突出部との当接が外れて補助部が弾性復帰して、第１切起し部との間に突出部を挟むように位置することを特徴とする請求項１に記載の制御基板収納ボックス。
【請求項３】
前記各係合壁部は、前記第１切起し部よりもスライド方向上流側に設けて互いに対向する側に突設した第２切起し部を有し、前記突出部は、先端部と基部との間に前記第２切起し部の突出側と同じ方向に傾斜して突出してあると共に突出方向で弾性変形可能な係止部を有し、ケースに対してカバーをスライドしたときに、係止部が弾性変形して係合壁部と第２切起し部との間を通過した後、弾性復帰して係止部が第２切起し部にスライド方向下流側で対向することを特徴とする請求項１に記載の制御基板収納ボックス。
【請求項４】
前記各連結壁部は、ケースとカバーとの対向面に各々ケースやカバーを貫通しないねじで固定してあることを特徴とする請求項３に記載の制御基板収納ボックス。
【請求項５】
請求項１〜４の何れかに記載の制御基板収納ボックスを内部に設けたことを特徴とする遊技機。
【発明の詳細な説明】
【技術分野】
【０００１】
本発明は、ロック装置を備えた遊技機用の制御基板収納ボックス及びこの制御基板収納ボックスを備えた遊技機に関する。
【背景技術】
【０００２】
一般に、パチンコ機やスロットマシン等の遊技機には、いわゆる当たり回数を制御する制御基板が不正に取り出されて改造や交換がされないようにする為、制御基板を収納したケースとカバーとのロックが不正解除されるのを防止したり、不正解除の痕跡が外部から目視確認できるようにする技術が公知である。
【０００３】
この種の技術として、特許文献１には、制御基板を収納する透明ケースとカバーを備える遊技機用の制御基板収納ボックスにおいて、ケースとカバーの基端部をヒンジで連結すると共にケースの先端部に一方のロック部材を設け、カバーの先端部に他方のロック部材を設けて、ケースに対してカバーを閉じたときに一方のロック部材と他方のロック部材とが互いに係合してロックすることが開示されている。
【０００４】
この特許文献１に記載の従来技術では、一方のロック部材に弾性変形可能な樹脂製の楔部を設け、他方のロック部材に楔部が係止する係止部を設けて、ケースとカバーが上下方向から互いに重なることにより、一方のロック部材の楔部が弾性変形して他方のロック部材の係止部に係止して、ケースとカバーをロックしている。
【先行技術文献】
【特許文献】
【０００５】
【特許文献１】特開２００８−２３７３４３号公報
【発明の概要】
【発明が解決しようとする課題】
【０００６】
しかし、特許文献１の技術では、例えば、針や金属製の線材を用いて樹脂製の楔部に熱を加えてロック部分を溶融した場合には、ケースとカバーとのロックが解除可能になるという不都合がある。仮に、楔部が金属製であっても周囲の樹脂製部分を溶融した後、金属製の楔部を針等で押圧することにより、解除可能になるという不都合がある。
更に、ケースとカバーとを互いにスライドにより嵌合する種類の制御基板収納ボックスがあるが、特許文献１の技術では、かかるスライドにより嵌合する制御基板収納ボックスには適用できないという問題がある。
【０００７】
そこで、本発明は、ケースとカバーとをスライドしてロックすることが可能であり且つ針や金属線材等の不正解除具を用いた場合でもロック解除を防止できる制御基板収納ボックス、及びこの制御基板収納ボックスを備えた遊技機の提供を目的とする。
【課題を解決するための手段】
【０００８】
前記課題を解決するために、請求項１に記載された発明は、制御基板を収納する透明樹脂製のケースと、ケースに装着する透明樹脂製のカバーと、ケースとカバーとをロックするロック装置とを備えた制御基板収納ボックスであって、ロック装置は、ケースに固定する金属板製の一方のロック部材と、カバーに固定する金属板製の他方のロック部材とを備え、一方のロック部材と他方のロック部材とを対向配置してあり、ケースに対してカバーを一方向にスライドすることにより一方のロック部材と他方のロック部材とが係合してロックするものであり、
一方のロック部材は互いに対向する係合壁部と、対向する係合壁部を連結する連結壁部とを有し、各係合壁部は互いに対向する側に突出する第１切起し部を有し、他方のロック部材は、互いに対向する被係合壁部と、対向する被係合壁部を連結する連結壁部とを有し、各被係合壁部は基部と、基部からカバーのスライド方向に平行に突出した先端部を有する突出部を有し、突出部の先端部は弾性変形可能であり且つ先端部ほど幅を狭くする楔状に形成してあり、ケースに対してカバーをスライドすることにより、突出部の先端部が対応する第１切起し部に当接することで突出部が弾性変形して第１切起し部を通過し、突出部の先端部が第１切起し部間を越えた後、弾性復帰して先端部が第１切起し部に係止してスライド方向と反対方向への引抜きが阻止されていることを特徴とする制御基板収納ボックスである。
【０００９】
請求項２に記載された発明は、請求項１に記載の発明において、前記各係合壁部は、対向する係合壁部側へ突出すると共に弾性変形可能な補助部を有し、補助部は一方のロック部材と他方ロック部材とが係合しているときに突出部を第１切起し部と共に挟んで位置するものであり、突出部が弾性変形して第１切起し部を通過するときに突出部の先端部に押圧されて弾性変形し、先端部が第１切起し部を通過した後に突出部が弾性復帰して第１切起し部側に移動したときに突出部との当接が外れて補助部が弾性復帰して、第１切起し部との間に突出部を挟むように位置することを特徴とする。
【００１０】
請求項３に記載された発明は、請求項２に記載の発明において、前記各係合壁部は、前記第１切起し部よりもスライド方向上流側に設けて互いに対向する側に突設した第２切起し部を有し、前記突出部は、先端部と基部との間に前記第２切起し部の突出側と同じ方向に傾斜して突出してあると共に突出方向で弾性変形可能な係止部を有し、ケースに対してカバーをスライドしたときに、係止部が弾性変形して係合壁部と第２切起し部との間を通過した後、弾性復帰して係止部が第２切起し部にスライド方向下流側で対向することを特徴とする。
【００１１】
請求項４に記載された発明は、請求項３に記載の発明において、前記各連結壁部は、ケースとカバーとの対向面に各々ケースやカバーを貫通しないねじで固定してあることを特徴とする。
【００１２】
請求項５に記載された発明は、請求項１〜４の何れか一項に記載の制御基板収納ボックスを内部に設けたことを特徴とする遊技機である。
【発明の効果】
【００１３】
請求項１に記載の発明によれば、ケースに対してカバーを相対的にスライドする仕様において、ケースに対してカバーをロックすることができる。換言すれば、ケースに対してカバーを相対的にスライド操作するだけで、ケースとカバーとを簡単にロックすることができる。
一方及び他方のロック部材は金属板製であると共に他方のロック部材の突出部は一方のロック部材の係合壁部と第１切起し部とで挟まれているので、仮に針や線材等の不正解除具を用いて前記突出部を第１切起し部から解除操作しようとしても解除できない。
一方及び他方のロック部材は各々１枚の金属板を加工して形成できるので、製造が容易であり且つ安価に製造できる。
【００１４】
請求項２に記載の発明によれば、請求項１に記載の発明と同様な効果を奏すると共に、第１切起し部と補助部との間に突出部を配置しているので、突出部は係合壁部と第１切起し部と補助部とにより囲まれるので、更に、解除操作の防止を高めることができる。また、ロック部材のガタツキを防止できる。
【００１５】
請求項３に記載の発明によれば、請求項２に記載の発明と同様な効果を奏すると共に、係止部が第２切起し部のスライド方向下流側端に係止するので、引抜き方向では突出部の楔状の先端部と係止部とでスライド方向と反対方向への引抜きが阻止されるから、二重のロックを図ることができる。即ち、仮に突出部の先端部が第１切起し部から外れた場合でも、係止部と第２切起し部とが係止しているので、他方のロック部材の引抜きを阻止することができる。
【００１６】
請求項４に記載の発明によれば、請求項３に記載の発明と同様な効果を奏すると共に、ケース及びカバーにおいて一方のロック部材及び他方のロック部材はねじにより固定しているので、工場からの出荷時や店舗でロック装置を取付ける場合に、容易に固定することができ、しかも、ケースとカバーとの対向面にねじ止めしているから、ケースとカバーをロックした後は、ねじが露出されない。
【００１７】
請求項５に記載の発明によれば、請求項１〜４の何れか一項に記載の効果を奏する制御基板収納ボックスを備えた遊技機を提供できる。
【図面の簡単な説明】
【００１８】
【図１】本発明の実施の形態に係るロック装置の分解斜視図である。
【図２】本発明の実施の形態に係るロック装置において、ロック前の一方のロック部材と他方のロック部材とを抜き出して示す斜視図である。
【図３】ロック装置の作用を示す図であり、（ａ）はロック前の一方のロック部材と他方のロック部材との関係を示す側面図、（ｂ）はロック後の一方のロック部材と他方のロック部材との関係を示す側面図、（ｃ）はロック前の一方のロック部材と他方のロック部材との関係を示す底面図、（ｄ）ロック後の一方のロック部材と他方のロック部材との関係を示す底面図である。
【図４】図３（ｄ）に示すＡ−Ａ断面の斜視図である。
【図５】（ａ）は第１実施の形態に係る制御基板収納ボックスの平面図あり、（ｂ）は（ａ）に示す制御基板収納ボックスの側面図ある。
【発明を実施するための形態】
【００１９】
以下に、添付図面を参照して、本発明の実施の形態を詳細に説明する。本実施の形態にかかる制御基板収納ボックス１は、遊技機（パチンコ台）の制御基板を収納するものであり、遊技機の内部に装着されるものである。
図５に示すように、制御基板収納ボックス１は、制御基板を収納する透明樹脂製のケース３と、ケース３に装着する透明樹脂製のカバー５と、ケース３とカバー５とをロックするロック装置７とを備えている。尚、ロック装置７には、ケース部３ａ及びカバー部５ａを切除可能な薄肉部１６が設けてある。
【００２０】
図１に示すように、ロック装置７は、ケース３と一体のケース部３ａと、カバー５と一体のカバー部５ａと、一方のロック部材９と、他方のロック部材１１とを備えている。
尚、図５に示すように、この実施の形態の制御基板収納ボックス１には、ロック装置７を構成可能なケース部３ａ及びカバー部５ａは、２箇所設けてあるが、いずれか一箇所にのみ一方のロック部材９と他方のロック部材１１を取り付けてロック装置７としている。
【００２１】
図２に示すように、ケース部３ａに対して、カバー部５ａは矢印Ｓ方向にスライド可能であり、ケース３に対してカバー５をＳ方向にスライドすることによりロック装置７により、ケース３とカバー５とがロックするものである。
【００２２】
図１及び図２に示すように、ケース部３ａは上面が開口した略直方体形状を成し、スライド方向Ｓと交差する方向（以下「左右方向」という）の中央に、一方のロック部材９をねじ１２で固定する固定部１３が形成されている。ケース部３ａのスライド方向Ｓの端部には、カバー部５ａと嵌合する嵌合部１５が形成されており、スライド方向Ｓに沿う左右にはカバー部５ａのスライドを案内する案内壁部１７ａ、１７ｂが形成されている。
カバー部５ａには、その下面に他方のロック部材１１をねじ１４で固定する固定部１８が形成されており、スライド方向Ｓの先端部にはケース部３ａの嵌合部１５に係合する被嵌合部１９が突設されている。
【００２３】
一方のロック部材９は、弾性を有する金属板製であり、左右方向で互いに対向する係合壁部２１、２１と左右の係合壁部２１、２１を連結する連結部２３とでコ字形状に形成されている。左右の係合壁部２１、２１は同じ構成であるから、以下では、一方の係合壁部２１についてのみ説明する。尚、本明細書では、図１に示すように、ケース３にカバーを重ねる方向を上下方向とし、ケース部３ａ側を下側、カバー部５ａ側を上側として説明する。
【００２４】
図４に示すように、係合壁部２１には、対向する係合壁部２１側に突出する一対の第１切起し部２５ａ、２５ｂが形成されている。一対の第１切起し部２５ａ、２５ｂは、上下に対向して形成されており、係合壁部２１に連続する基部２７と係合壁部２１と平行な突設部２９とで縦断面がＬ字形状を成している。一対の第１切起し部２５ａ、２５ｂにおいて、上側の切起し部２５ａは基部２７が上側にあり、突設部２９の下側が開放されている。下側の切起し部２５ｂは、基部２７が下側にあり、突設部２９の上側が開放されている。
【００２５】
係合壁部２１において、スライド方向Ｓの下流側には、補助部３１が形成されている。図１及び図２にも示すように、補助部３１は係合壁部２１と一体の帯状片を湾曲して形成すると共に先端部を折り曲げて折り曲げ部分３１ａを第１切起し部２５ａ、２５ｂを形成した開口内に配置している。
【００２６】
図４に示すように、係合壁部２１において、第１切起し部２５ａ、２５ｂよりもスライド方向Ｓの上流側には、対向する係合壁部２１側に突出するように切起して形成した一対の第２切起し部３３ａ、３３ｂが形成されている。一対の第２切起し部３３ａ、３３ｂは、上下に対向して形成されており、係合壁部２１に連続する基部３５と係合壁部２１と平行な突設部３７とで縦断面がＬ字形状を成している。一対の第２切起し部３３ａ、３３ｂにおいて、上側の第２切起し部３３ａは基部３５が上側にあり、突設部３７の下側が開放されている。下側の第２切起し部３３ｂは、基部３５が下側にあり、突設部３７の上側が開放されている。
図１に示すように、一方のロック部材９の連結壁部２３には、支持部１３に設けた位置決め突起１３ａに係合する位置決め孔３９及びねじ挿通孔４１が形成されている。
【００２７】
図１及び図２に示すように、他方のロック部材１１は弾性を有する金属板製であり、左右方向で互いに対向する被係合壁部４３、４３と、左右の被係合壁部４３、４３を連結する連結壁部４４とで縦断面がコ字形状を成している。左右の被係合壁部４３、４３は同じ構成であるから、以下では、一方の被係合壁部４３についてのみ説明する。
被係合壁部４３には基部４５と、基部４５からカバー部５ａのスライド方向Ｓに平行に突出した先端部４７を有する一対の突出部４９、４９が形成されている。一対の突出部４９、４９は上下に対向して設けてあり、一対の突出部４９、４９の各先端部４７、４７は互いに間隔を狭める方向に弾性変形可能であり且つ先端部４７、４７は各々先端ほど上下幅を狭めたテーパを有する楔形状を成している。
【００２８】
図３（ａ）に示すように、自然状態における先端部４７、４７の楔において、テーパ間で最も広い間隔Ｅは、一対の第１切起し部２５ａ、２５ａの基部２７、２７間の間隔Ｆよりも大きな寸法としてある。
また、図２に示すように、一対の突出部４９、４９の先端部間の間隔Ｗは、補助部３１の幅Ｈよりもわずかに広くしてある。
各突出部４９、４９は、先端部４７と基部４５との間に、第２切起し部３３ａ、３３ｂに係止する係止部５１が形成されている。係止部５１は先端を対向する被係合壁部４３側に向けて傾斜してあり、第２切起し部３３ａ、３３ｂを通過するときに突設部３７に押されて弾性変形し、突設部３７を通過すると弾性復帰して係止部５１の先端部が第２切起し部３３ａ、３３ｂの突設部３７にスライド方向Ｓの下流側で対向して位置するものである。
【００２９】
以下に、本実施の形態に係る制御基板収納ボックス１の組み立て、作用及び効果を説明する。
図１に示すように、ケース部３ａの固定部１３の上面に一方のロック部材９の連結壁部２３をねじ１２で固定し、カバー部５ａ下面の固定部１８に他方のロック部材１１の連結部４４をねじ１４で固定する。
そして、図３（ａ）（ｃ）に示すように、ケース部３ａに対してカバー部５ａを矢印Ｓ方向にスライドし、図３（ｂ）（ｄ）に示すように、ケース部３ａの係合部１５にカバーの被係合部１９を嵌合する。これにより、一方のロック部材９と他方のロック部材１１とが互い係合してロックする。
【００３０】
更に、ロック装置７について詳しく説明すると、図２及び図３に示しように、カバー部５ａをＳ方向にスライドすると、一対の突出部４９、４９はその先端部４７、４７を一方のロック部材９の係合壁部２１に沿って移動し、各突出部４９の先端部４７は係合壁部２１と第２切起し部３３ａとの間を通過した後、次に係合壁部２１と第１切起し部２５ａの間を通過する。
一対の第１切起し部２５ａ、２５ｂの各基部２７、２７間において、一対の突出部４９、４９は基部２７、２７により押されて弾性変形して互いの間隔を狭め、補助部３１を弾性変形するように押し上げたところで、突出部４９、４９の各先端部４７が第１切起し部２５ａ、２５ｂの各基部２７、２７を越えると、互いに間隔を狭めた一対の突出部４９、４９は弾性復帰して互いの間隔を広げ、第１切起し部２５ａ、２５ｂに係止する。これと同時に、図４に示すように、補助部３１が一対の突出部４９、４９の先端部４７、４７間に弾性復帰して配置される。
【００３１】
また、各突出部４９に形成した係止部５１は係合壁部２１と第２切起し部３３ａ、３３ｂとの間を第２切起し部３３ａ、３３ｂの突設部３７に押されて傾斜を小さくするように弾性変形し、第２切起し部３３ａ、３３ｂの突設部３７を通過した後、弾性復帰して傾斜を大きくして第２切起し部３３ａ、３３ｂのスライド方向Ｓの下流側で突設部３７の端に対向して位置する。
【００３２】
尚、工場の出荷後に、店舗などで検査や確認の為に、ケース３とカバー５を開くときには、ケース部３ａ及びカバー部５ｂの薄肉部１６を切断し、残りのケース部３ａに一方のロック部材９を取付け、対応するカバー部５ｂに他方のロック部材１１を取付けて、再度ケースに対してカバー５をスライドさせることにより、ケース３とカバー５とを再度ロックする。
【００３３】
図３に示すように、本実施の形態によれば、ケース３に対してカバー５を相対的にスライドする仕様において、ケース３に対してカバー５をロックすることができる。換言すれば、ケース３に対してカバー５を相対的にスライド操作するだけで、ケース３とカバー５とを簡単にロックすることができる。
図４に示すように、一方及び他方のロック部材９、１１は金属板製であると共に他方のロック部材１１の各突出部４９、４９は、一方のロック部材９の係合壁部２１と第１切起し部２５ａとで挟まれているので、仮に針や線材等の不正解除具を用いて突出部４９を第１切起し部から解除操作しようとしても解除できない。
また、他方のロック部材１１には各突出部４９を上下左右に複数設けており、複数個所で一方のロック部材９の係合壁部２１に係止してあるので、強固に固定できる。
【００３４】
一対の突出部４９、４９間には補助部３１を配置しているので、各突出部４９は係合壁部２１と第１切起し部２５ａ、２５ｂと補助部３１とにより囲まれてロックされているので、更に、解除操作の防止を高めることができると共に一対の突出部４９、４９間のがたつきを防止できる。
【００３５】
係止部５１が第２切起し部３３ａ、３３ｂのスライド方向下流側端に対向して位置することにより、第２切起し部３３ａ、３３ｂに係止するので、引抜き方向では突出部４９の楔状の先端部４７と係止部５１とでスライド方向と反対方向への引抜きが阻止されるから、多重のロックを図ることができる。即ち、仮に突出部４９の先端部４７が第１切起し部２５ａ、２５ｂから外れた場合でも、係止部５１と第２切起し部３３ａ、３３ｂとが係止しているので、他方のロック部材１１の引抜きを阻止することができる。
一方のロック部材９及び他方のロック部材１１は、突出部４９と第１切起し部２５ａ、２５ｂとにより上下方向及び左右方向のロックがかかっているので、外から不正にロックを解除しようとすると、ケース部３ａやカバー部５ａに多数の孔を形成することになるので、この点においても解除操作を防止でき防犯性が高い。
【００３６】
ケース３及びカバー５において、一方のロック部材９及び他方のロック部材１１はねじ１２、１４により固定しているので、工場からの出荷時や店舗でロック装置を取付ける場合に、容易に固定することができ、しかも、一方のロック部材９及び他方のロック部材１１は各々対応するケース３やカバー５の対向面にねじ止めしているから、ケース３とカバー５をロックした後は、一方のロック部材９、他方のロック部材１１及びねじ１２、１４が露出されない。
【００３７】
尚、本発明は、前述した実施形態に限定されることなく、その要旨を逸脱しない範囲で種々変形可能である。
例えば、制御基板収納ボックス１には、ロック装置７を構成可能なケース部３ａ及びカバー部５ａは、２箇所に限らず、３箇所や４箇所設けても良く、その数は制限されない。
一方のロック部材９はケース部３ａにねじ１２で固定することに限らず、熱溶着で固定しても良いし、インサート成型によりケース部３ａに固定しても良い。同様に、他方のロック部材１１も熱溶着によりカバー部５ａに固定しても良いし、インサート成型によりカバー部５ａに固定しても良い。
請求項１に係る発明では、補助部３１はなくても良い。
左右の各係合壁部には２１には、第１切起し部２５ａ、２５ｂ及び第２切起し部３３ａ、３３ｂを各々２つ設けることに限らず１つとし、これに対応して、各被係合壁部４３にも突出部４９を１つだけ設けるものであっても良い。
【符号の説明】
【００３８】
１    制御基板収納ボックス
３    ケース
５    カバー
７    ロック装置
９    一方のロック部材
１１  他方のロック部材
２１  係合壁部
２３  連結壁部
２５ａ、２５ｂ  一対の第１切起し部
３１  補助部
３３ａ、３３ｂ  一対の第２切起し部
４３  被係合壁部
４４  連結壁部
４５  基部
４７  先端部
４９  突出部
５１  係止部
【図１】
0005889066.tif 000002
【図２】
0005889066.tif 000003
【図３】
0005889066.tif 000004
【図４】
0005889066.tif 000005
【図５】
0005889066.tif 000006